(57)【要約】本開示は概して、釣糸を通過させるための通路（1004）を形成するように構成された、フレーム（1002）内のローラ組立体（1006）のシステムを使用する釣竿用ラインガイド（1000）に関する。アングラーが魚を引き寄せて、釣糸が1つのローラ組立体に接触すると、釣糸の張力によってローラ組立体の構成要素が回転し、したがって、釣糸とラインガイドとの間の滑り摩擦が大幅に軽減される。ラインガイドは、様々なサイズを有してよく、ラインガイドのフレームは、形状、および釣竿に対してラインガイドを取り付ける方向が様々であってよい。2008505640.tif 000003
2008505640.tif 000002
【特許請求の範囲】
【請求項１】
内部を通って延びる通路を囲むフレームと、
第1の回転軸を有し、フレームに回転可能に結合され、概ね第1の平面内で第1の回転軸の周りを回転可能であり、第1の平面がフレームの通路に実質的に垂直である第1のローラと、
第2の回転軸を有し、フレームに回転可能に結合され、概ね第2の平面内での第2の回転軸の周りを回転可能であり、第2の平面が第1の平面に平行でかつ第1の平面から軸方向にずれている第2のローラと、
第3の回転軸を有し、フレームに回転可能に結合され、概ね第3の平面内で第3の回転軸の周りを回転可能であり、第3の平面が第1および第2の平面のそれぞれに平行でかつ第1および第2の平面のそれぞれから軸方向にずれている第3のローラと
を含む、釣竿用のラインガイド。
【請求項２】
フレームの通路は、釣竿の全長に概して平行に延びるように方向づけられる、請求項1記載のラインガイド。
【請求項３】
フレームは少なくとも1つの取付け脚と一体的に形成される、請求項1記載のラインガイド。
【請求項４】
フレームの通路は、概して円形である、請求項1記載のラインガイド。
【請求項５】
フレーム内で第2のローラに平行な配置に位置する第4のローラをさらに含む、請求項1記載のラインガイド。
【請求項６】
フレーム内に受け入れられ、それぞれのローラのうちの一つの一部を密に受け入れるサイズを有するブッシングをさらに含む、請求項1記載のラインガイド。
【請求項７】
隣接して位置する2つのローラの間に形成される角度が鈍角である、請求項1記載のラインガイド。
【請求項８】
第1のローラの第1の回転軸は、第2のローラの第2の回転軸に実質的に垂直である、請求項1記載のラインガイド。
【請求項９】
第1のローラの第1の回転軸は第3のローラの第3の回転軸に実質的に平行である、請求項1記載のラインガイド。
【請求項１０】
内部を通って延びる通路を囲み、複数のくぼみ状ポケットを有するフレームと、
フレームに回転可能に結合され、それぞれのくぼみ状ポケットに少なくとも部分的に受け入れられ、各々が、中央部によって接続された一対の端部を含む、複数のローラとを含み、
複数のローラのそれぞれについて、ローラの端部が他のローラの端部と協働して、釣糸がローラ同士の間を通過してフレームに接触するのを実質的に防止する、
釣竿用のラインガイド。
【請求項１１】
複数のローラのうちの少なくとも1つの端部は第1の外径を有し、中央部は、第1の外径よりも小さい第2の外径を有する、請求項10記載のラインガイド。
【請求項１２】
1つのローラの端部は、隣接するローラの端部からフレームの一部によって分離される、請求項10記載のラインガイド。
【請求項１３】
フレームに結合され、少なくとも1つのローラを回転可能に受け入れるように構成されたキャップをさらに含む、請求項10記載のラインガイド。
【請求項１４】
キャップは、フレームと協働してフレームのそれぞれのくぼみ状ポケット内にローラを保持するように構成される、請求項12記載のラインガイド。
【請求項１５】
1つのローラの端部は、他のローラの端部との間に鈍角を形成するように他のローラの端部と一緒にフレーム内に配置される、請求項10記載のラインガイド。
【請求項１６】
複数のくぼみ状ポケットは、複数のローラの各々の形状を適応させるように相補的な形状に形成される、請求項10記載のラインガイド。
【請求項１７】
複数のローラの端部はスピンドルを含む、請求項10記載のラインガイド。
【請求項１８】
複数のローラの端部は、丸い支持表面を含む、請求項10記載のラインガイド。
【請求項１９】
フレームと一体的に形成された取付け脚をさらに含む、請求項10記載のラインガイド。
【請求項２０】
通路を囲むフレーム本体と、
フレーム本体に形成された複数のくぼみ状ポケットと、
フレーム本体に結合され、フレーム本体と協働して、それぞれのくぼみ状ポケットのうちの1つの内に少なくとも部分的に配置された回転可能な部材をキャップとフレーム本体との間に保持し回転可能に支持するように構成された、キャップと
を含む、釣竿上で使用されるラインガイド用のフレーム。
【請求項２１】
キャップは、回転可能な部材を回転可能に支持する支持表面を含む、請求項20記載のラインガイド。
【請求項２２】
フレーム本体と一体的に形成された取付け脚をさらに含む、請求項20記載のラインガイド。
【請求項２３】
複数のくぼみ状ポケットは、回転可能な部材の形状に対して相補的に輪郭付けされる、請求項20記載のラインガイド。
【発明の詳細な説明】
【技術分野】
【０００１】
発明の分野
この説明は概して、様々な釣竿と一緒に使用できるラインガイド（line guide）に関する。
【背景技術】
【０００２】
発明の背景
関連技術の説明
釣竿は一般に、従来のリールまたはスピニング・リールに結合される。リールは主として、釣糸を投げ込み、引き込み、制御するのに使用される。実際の釣竿は、釣糸をリールから釣竿の先端まで導くように釣竿の全長に沿って延びている一連のラインガイドを有するテーパー付けられた（tapered）ブランク（blank）の組立体である。ラインガイドは、釣竿に沿って様々な位置に配置され包装材料で釣竿に取り付けられた概ね円形のリングである。リングは通常、釣竿のリール端部の近くにより大きな直径を有し、釣竿の先端に小さな直径を有している。
【０００３】
他の種類のラインガイドは、釣糸がラインガイドの上を走行するのを容易にする滑車またはローラを有する。このようなラインガイドの一例は、カリフォルニア州アービンのAFTCO Manufacturing Company, Inc.からBIG FOOT(登録商標)で販売されている。滑車の溝は、釣糸がローラから外れてラインガイド・ハウジングをこするのを抑制するが、滑車は防水性ではなく、釣糸が滑車から外れる可能性がある。滑車を有するラインガイドは、Bettoに発行された、"Guiding Device for Fishing-Rod Lines"という名称の米国特許第5,531,041号に記載されている。
【０００４】
図1および2はそれぞれ、従来のリール・ロッドおよびスピニング・リール・ロッドを示している。図1は、釣竿の上側に従来のリール2が取り付けられた従来のリール・ロッド1を示している。標準的なリング状のラインガイド3が釣竿の全長に沿って延びており、やはり釣竿の上側に取り付けられている。図1にはリング状のラインガイド3が示されているが、リング状のラインガイドの代わりに上述の標準的な水平ローラ・ガイドを使用することができる。ただし、従来のリール2を釣竿に結合する場合に限られる。
【０００５】
図2は、スピニング・リール6に結合されたスピニング・リール・ロッド5を示している。このような構成では、スピニング・リールからの釣糸を受ける第1のラインガイド7は通常、従来のリール・ロッド構成に使用されている第1のラインガイド3よりも大きな直径を有する。釣糸がスピニング・リール6から繰り出されるかまたはスピニング・リール6に巻かれる円形パターンのために、第1のラインガイド7のより大きな直径は、より小さな張力、引張力、および摩擦を釣糸に与える。釣糸に作用する重力は、釣糸を各ラインガイドの最下点8（すなわち、リング状ラインガイドを直立位置で見た場合のリング8の頂部）に接触した状態に維持する傾向がある。釣糸を下向きに押す重力の作用は、スピニング・リール・ロッド構成に標準的なローラ・ガイドが使用されない1つの理由である。標準的な水平ローラ・ガイドをこのような構成で使用すると、釣糸が滑車に接触したままにならないため、何ら利益が得られない。
【０００６】
リールの選択は、アングラー（angler）によるラインガイドの選択に影響を与えるパラメータの1つであるが、他のパラメータとして釣竿自体の特徴がある。特に、釣竿ブランクを構成する材料の種類、および釣竿に沿ったテーパーの量は、主として「ロッド作用」の量を示している。「ロッド作用」は、釣竿の柔軟性または剛性の量を示す語であり、一般に、釣竿の全長に沿ったテーパーの程度によって示される。ロッド作用の量はアングラーにとって重要である。というのは、硬い（すなわち、高速作用）釣竿は、フックをしっかりと取り付ける必要があり、かつ釣竿が大形の魚の作用を扱うのに十分な強度を有さなければならない大形の魚により適しているからである。低速作用釣竿は小形の魚により適しており、釣竿の柔軟性によってベイト（bait）がフックから外れるが防止される。多くのアングラーは、より小形の魚またはより大きな淡水魚用の中間的な釣竿として中作用釣竿を使用している。釣竿ブランクに使用される2つの主要な材料は、ガラス繊維または炭素強化複合材料（すなわち、黒鉛）である。
【０００７】
アングラーが所望のロッド作用量を有する釣竿を選択した後、ラインガイドがロッド作用を損なわないかまたはロッド作用に悪影響を与えないことが重要である。経験に富んだアングラーはラインガイドの数量、取付け形式、および釣竿の全長に沿ったラインガイドの配置が、釣竿の全体的な性能にかなり顕著な影響を与えることを知っている。ラインガイドは、ロッド作用に影響を与えることができるが、最も重要な点は、ラインガイドがリールから釣竿の端部への釣糸の滑らかな遷移に影響を与えることである。
【０００８】
フライフィッシングまたは大形魚の釣りの別を問わず、多くの釣り状況では、アングラーは、釣竿を引っ張り、捻り、回転させるか、または釣竿の空間的な向きを他の方法で操作する必要がある。このような2つの例として、釣竿を水平方向に引っ張って、アシで覆われた領域から魚を引き出す場合、または桟橋釣りもしくは船釣りを行う際、人工のベイトを使用するときに先端を海面から深い位置に維持することを試みる場合が挙げられる。この種の操作では、釣糸がリング状のラインガイドをこする恐れがある。摩擦は釣糸繊維を劣化させ、擦り切れさせ、破断させる。釣糸が切れると、高額になることがある釣糸の交換コストがかかるだけでなく、釣道具およびベイトを失うことが多く、言うまでもなく、その1匹の特定の魚を失うことが多く、したがって、アングラーは「逃がした魚」の話をする羽目になる。
【発明の開示】
【０００９】
発明の概要
本発明の1つの目的は、従来の釣竿またはスピニング・ロッドの別を問わず、かつ小形魚の釣りまたは大形魚の釣りの別を問わず、あらゆる種類の釣竿と一緒に使用できる一連のラインガイドを提供することである。本発明の他の目的は、ラインガイドと釣糸との間に摩擦が生じる可能性があるあらゆる領域を最小限に抑えた一連のラインガイドを提供することである。
【００１０】
一局面では、釣竿用のラインガイドは、内部を通って延びる通路を囲むフレームと、第1の回転軸を有し、フレームに回転可能に結合され、概ね第1の平面内で第1の回転軸の周りを回転可能であり、第1の平面がフレームの通路に実質的に垂直である第1のローラと、第2の回転軸を有し、フレームに回転可能に結合され、概ね第2の平面内で第2の回転軸の周りを回転可能であり、第2の平面が第1の平面に平行でかつ第1の平面から軸方向にずれている第2のローラと、第3の回転軸を有し、フレームに回転可能に結合され、概ね第3の平面内で第3の回転軸の周りを回転可能であり、第3の平面が第1および第2の平面のそれぞれに平行でかつ第1および第2の平面のそれぞれから軸方向にずれている第3のローラとを含む。
【００１１】
他の態様では、釣竿用のラインガイドは、内部を通って延びる通路を囲み、複数のくぼみ状ポケットを有するフレームと、フレームに回転可能に結合され、それぞれのくぼみ状ポケットに少なくとも部分的に受け入れられ、各々が、中央部によって接続された一対の端部を含む複数のローラとを含み、複数のローラのそれぞれについて、ローラの端部が他のローラの端部と協働して釣糸がローラ同士の間を通過してフレームに接触するのを実質的に防止する。
【００１２】
他の局面では、釣竿上で使用されるラインガイド用のフレームは、通路を囲むフレーム本体と、フレーム本体に形成された複数のくぼみ状ポケットと、フレーム本体に結合され、フレーム本体と協働して、それぞれのくぼみ状ポケットのうちの1つの内に少なくとも部分的に配置された回転可能な部材をキャップとフレーム本体との間に保持し回転可能に支持するように構成されたキャップとを含む。
【００１３】
発明の詳細な説明
以下の説明では、本発明の様々な態様を完全に理解するためにある特定の詳細が記載されている。しかし、当業者には、これらの多くの詳細がなくても本発明を実施できることが理解されよう。他の例では、本発明の態様の説明を不必要に曖昧にしないように、公知の構造および釣竿およびリールに関連する多数の態様については詳しく図示しておらず、また説明していない。
【００１４】
釣竿に取り付けられたラインガイドの一般的な機能は、釣糸がリールから釣竿の先端まで延びる際に釣糸を制御し外れないようにすることである。ラインガイドは一般に、釣糸が絡まらないようにする。アングラーは、魚が掛かったときに釣糸に張力をかける。釣糸に張力が掛かった状態で、魚、釣竿、またはその両方の方向が変化すると、釣糸は、密閉されたラインガイドの少なくともいくらかの固定された非回転部分に接触する。この接触は、アングラーが釣糸を巻き込んで釣竿の半径方向を変化させることと共に生じることが多く、釣糸とラインガイドとの間に摩擦を生じさせる。この摩擦は、時間の経過と共に釣糸を摩耗させ、釣糸の一部を擦り切れさせ、場合によっては破断させる。摩擦によって、アングラーが釣糸を巻き込むのも困難になる。
【００１５】
本明細書の議論は、釣糸が張力を受けてラインガイドの一部に接触しているときでも、釣糸が通路をほとんど抵抗なしに通過できるようにするラインガイドについて詳細に説明するものである。図3は、1組のテーパー付けされ接続された釣竿ブランク12に沿って位置する一連のラインガイド10を有する釣竿9を示している。各ラインガイド10は、フレーム20内に配置され、使用時に釣糸（図示せず）がフレームに接触するのを防止する一連の案内ローラ組立体22を有している。釣糸に張力がかかると、釣糸が少なくとも1つのローラ22に接触することによって、ローラ22が回転し、したがって、釣糸およびラインガイド10の滑り接触を大幅に軽減するかまたは無くす。図示の態様では、各ラインガイド10が隣接するラインガイドの鏡像になるようにラインガイド10を釣竿ブランク12上に配置することができる（すなわち、図示の各ラインガイド10のフレーム内のローラ組立体22の位置に留意されたい）。この構成は、釣糸が1つのラインガイド10から次のラインガイドに遷移するのを容易にすることができる。
【００１６】
図4は、本発明の特定の態様によるラインガイド10を最もよく示している。取付け脚14は、ラインガイド10をブランク12に固定する。取付け脚14は、円形状のブランク12と相補的な形状に作製することができる。スレッド16は一般に、取付け脚14をブランク12上に配置し、スレッド16をブランク12および脚14の周りに複数回巻き付けることによって、取付け脚14をブランク12に取り付けるのに使用される。次に、スレッド16上に樹脂層を注ぎ、硬化させることができる。樹脂が硬化することによって取付け脚14がブランク12に固定され、スレッド16が密封され、スレッド16とブランク12との間に滑らかな遷移表面が形成される。
【００１７】
図示の態様では、ローラ組立体22は、通路24を形成するように配置されている。ローラ組立体22のこの構成の利点は、これによって、アングラーが釣竿を使用している間の釣竿の向きにかかわらず、釣糸がラインガイド10の固定構成要素または非回転構成要素に接触するのが防止されることである。
【００１８】
図示の態様では、フレーム20は、下向きに取付け脚14の方へ延びるネック部26を含んでよい。ネック部26は、フレーム20と一体的に形成することができるが、当業者には、この代わりに、個々の構成要素、または上記の構成要素の何らかの組合せから、取付け脚14、ネック部26、およびフレーム20を組み立てることができることが理解されよう。
【００１９】
さらに、矩形のフレーム20は、フレーム20の上部28および下部30がブランク12の中心線32に垂直に揃うように位置している。このようにフレーム20の向きを定めると、フレーム20およびネック26が構造的に堅固に接続され、フレームの重量を最小限に抑えることができる。当業者には、フレーム20の形状（たとえば、矩形、円形、六角形など）および向きを多数の異なる方法で定めることができることが理解されよう。
【００２０】
図5Aは、本発明の一態様によるローラ組立体22を示している。ローラ組立体は、ピン50、第1のスリーブ56、および第2のスリーブ58を含んでいる。ピン50は、第1の端部52および第2の端部54を有している。一態様では、ピン50を耐食ステンレススチール（CRES）で作り、Teflon(登録商標)または他のある種の摩擦軽減コーティングを被覆することができる。第1の端部52は、ねじ山を設け、フレームによって受け入れることができる。第1のスリーブ56は、ピン50の上を滑り、ピン上を自由に回転する。さらに、第2のスリーブ58は、硬質ゴム化材料または滑り止め材料で作ることができ、第1のスリーブ56の上に配置することができる。第2のスリーブ58は、2つのスリーブ56および58が回転可能に結合されるように第1のスリーブ56に対して緊密に密着させることができる。第2のスリーブ58は、プレス密着工程または他の何らかの連結方法により、接着剤によって第1のスリーブ56に結合することができる。座金60を使用して、回転可能なスリーブ56および58とフレームの内面との間に支持表面を形成することができる。ピン50の第2の端部54をナット62でフレームに固定することができる。
【００２１】
第2のスリーブ58の滑り止め材料は、釣糸がローラ組立体22を把持できるようにする。釣糸の張力と、釣糸と第2のスリーブ58との間の滑り止め作用が組み合わさって、スリーブ56および58はどちらも実質的に同じ速度で回転する。本態様のローラ組立体22は、チップ・トップ・ラインガイド500（図10）を含め、本明細書で論じる任意のラインガイド態様と一緒に使用してもよい。当業者には、本発明のローラ組立体22を第2のスリーブ58なしで構成することができ、さらに、たとえば、第2のスリーブ58を設ける代わりに第1のスリーブ56を滑り止めコーティングで被覆することができることが理解されよう。
【００２２】
図5Bは、第1の端部52を有するピン50を示しており、第2の端部54は、ピン50をフレームの開口部に下向きに挿入することにより、ラインガイドのフレームによって受け入れられる。第1の端部52はフレームの上部に固定され、一方、第2の端部54はフレームの下部に固定される。図示の態様の第1のスリーブ56は、硬質ゴム化材料または滑り止め材料で作られている。
【００２３】
図6および7は、本発明の他の態様によるラインガイド110を示している。図示の態様では、矩形状のフレーム120はローラ組立体122を捕捉している。釣糸118は、ローラ組立体122によって形成される通路124を通って延びるように示されている。
【００２４】
ラインガイド110は、ローラ組立体122を受け入れる開口部136を有する横方向に延びる突起134を有するフレームを含んでいる。突起134は、ラインガイド110がより小さな形状を有するのを可能にする。より小さな形状の1つの利点は、釣糸を投げ込む際の風圧抵抗が弱くなることである。他の利点は、より小さな形状によってラインガイド110の全体的な重量が減ることであり、これは、上述のように、釣竿のロッド作用に影響を及ぼすことがある。より小さな形状によって、動かないフレームの部分が小さくなるが、釣竿の向きにかかわらず、釣糸がフレームの非可動部分に接触する可能性が低くなる。
【００２５】
図8Aおよび8Bは、各々がわずかに異なる形状を有する、フレーム220のさらに2つの態様を示している。図8Aは、内側の6つの辺238および外側の6つの辺240を有する六角形状のフレーム220を示している。ローラ組立体222は通路224を形成している。図8Bは、外周を有する六角形状のフレーム320が丸いかまたは円形であり、したがって、本質的に、外側の辺340を1つだけ有することを示している。当業者には、フレーム320の内周の形状にかかわらず、フレーム320の外周を滑らかで丸い輪郭を有するように製造または機械加工できることが理解されよう。
【００２６】
図9Aは、本発明の他の態様によるラインガイド400を示している。図示の態様のラインガイド400は、フレーム420の取付け脚414を有しており、フレームはネック426によって取付け脚に結合されている。フレーム420は、V字形を形成する2つのフレーム部材421、およびフレームを囲む上部水平フレーム部材423を含む三角形状を有している。V字形フレーム部材421と水平フレーム部材423との間に一対のローラ組立体422が回転可能に結合されている。上部フレーム部材423の内面425は、釣糸が内面に接触したときに内面の上を滑らかに滑るのを可能にする丸い輪郭を含んでいる。
【００２７】
または、図9Bは、第3のローラ組立体427がV字形フレーム部材421同士の間の距離だけ延びてよいことを示している。このような態様では、ローラ組立体422および427は、釣糸が入れられる周りを囲まれた通路424を形成するように配置される。
【００２８】
図10は、本発明の一態様によるチップ・トップ・ラインガイド500を示している。チップ・トップ・ラインガイド500は、釣竿502の先端または端部上に配置され、釣糸の張力によってチップ・トップ・ラインガイド500がねじれるかまたは外れるのを防止するために釣竿の先端504にしっかりと取り付けなければならない。チップ・トップ・ラインガイド500は、フレーム506、ローラ組立体508、および取付けスリーブ510を含んでいる。取付けスリーブ510は、フレーム506に接続される遠位部512、および釣竿502の先端504を受け入れる近位部514をさらに含んでいる。さらに、支持ブレース516を使用してフレーム506を釣竿先端504にしっかりと取り付けることができる。
【００２９】
図11は、本発明の他の態様によるフレーム602に回転可能に固定されたローラ組立体600の断面図を示している。ローラ組立体600は、2つの軸受606の間に受入れ可能および回転可能に結合されたピン604を含む。軸受606は、フレーム602に設けられた開口部608にプレス密着するかまたは単に滑り込ませることができる。キャップ610は、軸受606をフレーム602に固定するのに使用され、したがって、ピン604を軸方向において抑制する。キャップ610の内面612は、ピン604がフレーム602の一方の側または他方の側に変位された場合に支持表面として働くこともできる。
【００３０】
次に図12を参照すると、ラインガイド700は、フレーム702および一体的に形成されたネック704で組み立てられている。釣竿（図示せず）へのフレーム702の取付けは、ネック704を単一の可撓性取付け脚706に取り付けることによって行われる。このような柔軟な取付けは、より軽量の釣竿により適している。図示の取付け脚706は、フレーム708にボルトで固定されるが、当業者には、取付け脚706へのフレーム702の取付けをいくつかの方法、たとえば、接着、スナッピング合着などで行うことができることが理解されよう。
【００３１】
図13および14は、フレーム802を有するラインガイド800が本発明の他の態様による取付けブラケット804に取り付けられている様子を示している。ラインガイド800は、図4で説明したラインガイドに非常に類似しているが、図示のラインガイド800が有する取付け脚806は1つだけである。釣竿（図示せず）とのより柔軟であるが堅固な取付けを可能にするために、取付けブラケット804は、フレーム802にピボット位置808で回動可能に取り付けられる。フレーム802と釣竿との間のこの特別な自由度によって、ラインガイド800は、取付けブラケット804に対してわずかに回動することができる。取付けブラケット804は、ローラ組立体812によって形成された通路810を通過する釣糸（図示せず）に干渉しないようにU字形をしている。または、特別な柔軟性が必要でない場合には、取り付けブラケット804をフレームに固定することができる。
【００３２】
図15は、本発明の他の態様による取付けブラケット904に固定（すなわち、溶接）されたフレーム902を有するラインガイド900を示している。ラインガイド900は、上述のラインガイドに類似しているが、図示のラインガイド900は、フレーム902に固定された互いに向かい合う可撓性の取付けブラケット904を含んでいる。
【００３３】
図16は、本発明の他の態様によるラインガイド1000を示している。図示の態様では、概ね円形のフレーム1002が、フレーム1002を通って延びる通路1004を囲んでいる。通路1004の周りに配置され、特に下部ローラ1006a、側部ローラ1006b、および上部ローラ1006cとして参照されるいくつかのローラ1006が、フレーム1002に回転可能に結合されている。フレーム1002は、ラインガイド1000を釣竿（図示せず）に固定し、および／または取り付けるための取付け脚1008をさらに含んでいる。フレーム1002の部分1010は、互いに隣接する一対のローラ1006を分離しており、かつローラ1006に対して相補的な輪郭を有し、ローラ1006同士の間に円滑な遷移部を形成している。キャップ1012をフレーム1002に結合してローラ1006をフレーム内に保持することができる。
【００３４】
図17および18は、図示の態様によって、ローラ1006が通路1004を完全に囲むようにフレーム1002内に配置されていることを示している。ローラ1006は、図18を見ると最もよく分かるように、3つの異なる平面1006a'、1006b'、および1006c'に配置されている。それぞれの平面1006a'、1006b'、および1006c'はフレーム1002の第1の表面1014に実質的に平行である。さらに、ローラ1006はさらに、第1の方向1018（図18）に沿って見たときに互いに隣接するローラの端部1016が互いに重なるように配置されている。さらに、ローラ1006の互いに隣接する端部1016は、互いに鈍角1020（90 度 < 1020 < 180度）を形成している。
【００３５】
図19は、図示の一態様によるローラ1006の1つを最もよく示している。ローラ1006は、ローラ本体1024によって接続された一対のスピンドル1022を含んでいる。ローラ本体1024は、中央部1026によって接続された端部1016を含んでいる。各端部1016は、第1の外径D1を有しており、第2の外径D2を有する中央部1026の方へテーパー付けされている。中央部1026の第2の外径D2は、ローラ本体1024が砂時計の形状を有することができるようにそれぞれの端部1016の第1の外径D1よりも小さくなっている。スピンドル1022は、ローラ1006の回転軸1028に沿って軸方向にかつ互いに逆方向に延びている。各端部1016は、回転軸1028に実質的に垂直であってよいローラ端面1030を含んでいる。ローラ1006が、それらが取り付けられる釣竿の種類および／または目的に応じたサイズを有することが理解され、認識される。したがって、深海スポーツ・フィッシングでは太いスピンドル1022を有するより大形のローラ1006が必要になることがあり、一方、小さなパーチ（perch）のアイス・フィッシングを行うときは小形のスピンドルを有する小形のローラを使用することがある。
【００３６】
図20は、ローラが、スピンドル1022の代わりに、丸い支持表面1023を組み込んでいる、ローラ1006の他の態様を示している。これに加えてまたはこれとは別に、ローラ1006は、少なくとも1つの滑らかに遷移する溝1025および／または表面処理1027を含んでよい。溝1025は、環状の溝として示されているが、溝1025は、ローラ1006の軸1028に対して、直角以外の角度に形成することができる。溝1025は、この環状の溝1025が釣糸とローラ1006との間により大きな接触領域を形成するため、使用時にローラ1006上の釣糸の位置を安定化するのを助けることができ、ローラ1006をより効率的かつ滑らかに回転させることもできる。
【００３７】
表面処理1027を、溝1025に加えるか、またはその代わりに使用することができる。表面処理1027は、ローラ1006と釣糸との間の摩擦量を増加させるかまたは少なくとも摩擦を強める、テクスチャ付け、コーティング、または他の類似の処理であってよい。一態様では、表面処理1027は、通常、セメントの床、階段、および／またはピックアップ・トラックの台を覆うのに使用される滑り止め硬化コーティングの種類と同様な、ローラ1006上に噴霧されるテクスチャ化コーティングである。
【００３８】
図21Aおよび21Bは、図示の態様によってフレーム1002の一部に形成された開口部1032に対するローラ1006bを示している。図22は、図を明確にするためにローラ1006bを除いたフレーム1002の同じ部分を示している。したがって、図22は、ローラ1006の支持表面として働くブッシング1034をフレーム1002内に位置させることができることを示している。図23は、開口部1032の形状がローラ1006の砂時計の形状と相補的である他の態様を示している。
【００３９】
図24は、図示の一態様によるフレーム1002に結合されるキャップ1012を示している。キャップ1012は、図20に示されている態様の丸い支持表面1023を相補的に受け入れる反支持表面1038を含む2つのくぼみ状ポケット1036を含んでいる。キャップ1012は、滑らかな外面1040を有する長い弧を形成しており、したがって、キャップ1012とフレーム1002との間に滑らかな遷移が維持されている。キャップ1012は、たとえば、フレーム1002へのプレス密着、フレーム1002へのクリップ留め、および／または他の何らかの類似の機械的取付け手段によって、フレーム1002に機械的に固定することができる。示されていないが、くぼみ状ポケット1036および支持表面1038を、図19に示されている態様のスピンドル1022およびローラ端部1030を受け入れるようにも構成することができる。
【００４０】
上記の説明を考慮して上記およびその他の変更を本発明に加えることができる。一般に、特許請求の範囲では、使用される語が、本発明を本明細書および特許請求の範囲で開示される特定の態様に制限すると解釈されるべきでなく、特許請求の範囲に従って動作するすべてのラインガイド機構を含むと解釈すべきである。したがって、本発明は、開示によって制限されず、その代わり、範囲は特許請求の範囲によって全体的に決定される。
【図面の簡単な説明】
【００４１】
【図１】従来のリールおよびリング状ラインガイドを有する先行技術の釣竿の背面右側等角図である。
【図２】スピニング・リールおよびリング状ラインガイドを有する先行技術の釣竿の背面右側等角図である。
【図３】従来のリールおよび図示された一つの態様によるラインガイドを有する釣竿の背面右側等角図である。
【図４】図3の釣竿ブランクおよびラインガイドの正面左側等角図である。
【図５Ａ】図示された他の態様によるラインガイドのフレーム内に配置されたローラ組立体の拡大図である。
【図５Ｂ】単一のスリーブを有する図5Aのローラ組立体の拡大図である。
【図６】図示された他の態様による小形のフレームを有する取り付けられたラインガイドを有する釣竿ブランクの正面左側等角図である。
【図７】図６のラインガイドの側面図である。
【図８Ａ】図示された一態様による六角形状のラインガイドの正面図である。
【図８Ｂ】丸い外周を有する図8Aの六角形状ラインガイドの正面図である。
【図９Ａ】図示された一態様によるV字形ローラ構成を有する三角形状ラインガイドの正面図である。
【図９Ｂ】図示された他の態様による重なり合った3つのローラを有する図9Aの三角形状ラインガイドの正面図である。
【図１０】図示された一態様によるチップ・トップ・ラインガイドの側面図である。
【図１１】図示された一態様によるラインガイドに使用されるローラ組立体の分解等角図である。
【図１２】図示された一態様によるラインガイド・フレームおよび別個の取付け脚の分解正面左等角図である。
【図１３】図示された一態様による取付けブラケットに回動可能に取り付けられたラインガイドの正面図である。
【図１４】図13のラインガイドおよび取付けブラケットの側面図である。
【図１５】図示された一態様による互いに向かい合う一対の取付けブラケットに固定されたラインガイドの正面図である。
【図１６】図示の一態様によるラインガイドの背面左側等角図である。
【図１７】図16のラインガイドの正面図である。
【図１８】図16のラインガイドの正面左側等角図である。
【図１９】図示された一態様によるスピンドルを有する回転可能な部材の側面図である。
【図２０】図示された他の態様による丸い支持表面を有する回転可能な部材の側面図である。
【図２１Ａ】図17の線21A-21Aに沿った図16のラインガイドの断面図である。
【図２１Ｂ】図21Aの線21B-21Bに沿った図21Aのラインガイドの断面図である。
【図２２】フレーム内に配置されたブッシングを示しているが、図を明確にするために回転可能な部材を示していない図21Aのフレームの断面図である。
【図２３】図示された一態様によるラインガイド用のフレームの輪郭付けされたくぼみ状ポケットの断面図である。
【図２４】図示された一態様によるラインガイドのフレーム用の一対のキャップの等角分解図である。
【図１】
2008505640.tif 000004
【図２】
2008505640.tif 000005
【図３】
2008505640.tif 000006
【図４】
2008505640.tif 000007
【図５Ａ】
2008505640.tif 000008
【図５Ｂ】
2008505640.tif 000009
【図６】
2008505640.tif 000010
【図７】
2008505640.tif 000011
【図８】
2008505640.tif 000012
【図９Ａ】
2008505640.tif 000013
【図９Ｂ】
2008505640.tif 000014
【図１０】
2008505640.tif 000015
【図１１】
2008505640.tif 000016
【図１２】
2008505640.tif 000017
【図１３】
2008505640.tif 000018
【図１４】
2008505640.tif 000019
【図１５】
2008505640.tif 000020
【図１６】
2008505640.tif 000021
【図１７】
2008505640.tif 000022
【図１８】
2008505640.tif 000023
【図１９】
2008505640.tif 000024
【図２０】
2008505640.tif 000025
【図２１】
2008505640.tif 000026
【図２２】
2008505640.tif 000027
【図２３】
2008505640.tif 000028
【図２４】
2008505640.tif 000029
【国際調査報告】
2008505640.tif 000030
2008505640.tif 000031
2008505640.tif 000032